(57)【要約】【課題】ユーザが選択したストロークの表示態様を適切に表示させることが可能な電子ペンシステム及びプログラムを提供する。【解決手段】電子ペンシステムでは、記入者は、電子ペンによって記入用紙に手書きストロークを記入すると共に、電子ペンによって選択用紙に記入することで、記入用紙に記入した手書きストロークを表示させる際の表示態様を選択する。そして、端末装置は、電子ペンから受信した記入情報に基づいて、選択用紙によって選択された表示態様にて、記入用紙に記入された手書きストロークを表示すると共に、選択用紙によって選択された表示態様を表示する。【選択図】図１５
2013025683.tif 000002
【特許請求の範囲】
【請求項１】
用紙に印刷されたコード化パターンを読み取り、前記コード化パターンに応じた記入情報を生成する電子ペンと、
前記電子ペンにより読み取り可能なコード化パターンが印刷され、記入者が前記電子ペンによって手書きストロークを記入する記入用紙と、
前記電子ペンにより読み取り可能なコード化パターンが印刷され、記入者が、前記記入用紙に記入した手書きストロークを表示させる際の表示態様を選択するための選択用紙と、
前記電子ペンから前記記入情報を受信して、当該記入情報に応じた処理を行う端末装置と、を備える電子ペンシステムであって、
前記端末装置は、
前記電子ペンによる前記選択用紙への記入に対応する記入情報に基づいて、記入者によって選択された前記表示態様を表示する表示制御手段を備えることを特徴とする電子ペンシステム。
【請求項２】
前記表示制御手段は、複数の記入者によって選択された前記表示態様を、前記複数の記入者に対応付けて一覧表示することを特徴とする請求項１に記載の電子ペンシステム。
【請求項３】
前記表示制御手段は、操作者によって選択された記入者により記入された前記手書きストロークに対応する第１画像を表示すると共に、前記操作者によって選択されなかった他の記入者により記入された前記手書きストロークに対応する第２画像を、前記第１画像よりも小さなサイズで一覧表示することを特徴とする請求項１又は２に記載の電子ペンシステム。
【請求項４】
前記表示制御手段は、操作者によって前記第２画像が選択された場合、既に表示している前記第１画像を縮小することで第２画像として表示すると共に、操作者によって選択された前記第２画像を拡大することで第１画像として表示することを特徴とする請求項３に記載の電子ペンシステム。
【請求項５】
前記表示制御手段は、
前記第１画像が表示される領域に前記第２画像を移動させる操作が操作者によってなされた場合に、当該第２画像を拡大することで第１画像として表示し、
前記第２画像が表示される領域に前記第１画像を移動させる操作が操作者によってなされた場合に、当該第１画像を縮小することで第２画像として表示することを特徴とする請求項３又は４に記載の電子ペンシステム。
【請求項６】
前記表示制御手段は、
複数の記入者によって記入された前記手書きストロークの内容を分類した複数のカテゴリーに関して、前記複数のカテゴリーのいずれかを選択するための選択ボタンを表示し、
前記選択ボタンによって前記複数のカテゴリーのいずれかが選択された場合に、前記複数の記入者によって記入された前記手書きストロークのうち、選択されたカテゴリーに分類された前記手書きストロークのみを表示することを特徴とする請求項１乃至５のいずれか一項に記載の電子ペンシステム。
【請求項７】
前記表示制御手段は、
前記手書きストロークを表示するエリアを分割する態様を選択するための選択ボタンを表示し、
前記選択ボタンによって前記エリアを分割する態様が選択された場合に、当該態様によって前記エリアを分割した各エリアに、前記手書きストロークを表示することを特徴とする請求項１乃至６のいずれか一項に記載の電子ペンシステム。
【請求項８】
前記表示制御手段は、複数の記入者において前記手書きストロークを記入し終えたのが早い順に、前記表示態様を表示すると共に、前記手書きストロークを表示することを特徴とする請求項１乃至７のいずれか一項に記載の電子ペンシステム。
【請求項９】
前記表示制御手段は、複数の記入者において前記手書きストロークのストローク数が多い順に、前記表示態様を表示すると共に、前記手書きストロークを表示することを特徴とする請求項１乃至７のいずれか一項に記載の電子ペンシステム。
【請求項１０】
前記表示態様は、前記手書きストロークの色及び／又は線幅であることを特徴とする請求項１乃至９のいずれか一項に記載の電子ペンシステム。
【請求項１１】
用紙に印刷されたコード化パターンを読み取り、前記コード化パターンに応じた記入情報を生成する電子ペンと、
前記電子ペンにより読み取り可能なコード化パターンが印刷され、記入者が前記電子ペンによって手書きストロークを記入する記入用紙と、
前記電子ペンにより読み取り可能なコード化パターンが印刷され、記入者が、前記記入用紙に記入した手書きストロークを表示させる際の表示態様を選択するための選択用紙と、
前記電子ペンから前記記入情報を受信して、当該記入情報に応じた処理を行う端末装置と、を備える電子ペンシステムにおいて、前記端末装置によって実行されるプログラムであって、
前記電子ペンによる前記選択用紙への記入に対応する記入情報に基づいて、記入者によって選択された前記表示態様を表示する表示制御手段として前記端末装置を機能させることを特徴とするプログラム。
【請求項１２】
前記表示制御手段は、複数の記入者によって選択された前記表示態様を、前記複数の記入者に対応付けて一覧表示することを特徴とする請求項１１に記載のプログラム。
【請求項１３】
前記表示制御手段は、操作者によって選択された記入者により記入された前記手書きストロークに対応する第１画像を表示すると共に、前記操作者によって選択されなかった他の記入者により記入された前記手書きストロークに対応する第２画像を、前記第１画像よりも小さなサイズで一覧表示することを特徴とする請求項１１又は１２に記載のプログラム。
【請求項１４】
前記表示制御手段は、操作者によって前記第２画像が選択された場合、既に表示している前記第１画像を縮小することで第２画像として表示すると共に、操作者によって選択された前記第２画像を拡大することで第１画像として表示することを特徴とする請求項１３に記載のプログラム。
【請求項１５】
前記表示制御手段は、
前記第１画像が表示される領域に前記第２画像を移動させる操作が操作者によってなされた場合に、当該第２画像を拡大することで第１画像として表示し、
前記第２画像が表示される領域に前記第１画像を移動させる操作が操作者によってなされた場合に、当該第１画像を縮小することで第２画像として表示することを特徴とする請求項１３又は１４に記載のプログラム。
【請求項１６】
前記表示制御手段は、
複数の記入者によって記入された前記手書きストロークの内容を分類した複数のカテゴリーに関して、前記複数のカテゴリーのいずれかを選択するための選択ボタンを表示し、
前記選択ボタンによって前記複数のカテゴリーのいずれかが選択された場合に、前記複数の記入者によって記入された前記手書きストロークのうち、選択されたカテゴリーに分類された前記手書きストロークのみを表示することを特徴とする請求項１１乃至１５のいずれか一項に記載のプログラム。
【請求項１７】
前記表示制御手段は、
前記手書きストロークを表示するエリアを分割する態様を選択するための選択ボタンを表示し、
前記選択ボタンによって前記エリアを分割する態様が選択された場合に、当該態様によって前記エリアを分割した各エリアに、前記手書きストロークを表示することを特徴とする請求項１１乃至１６のいずれか一項に記載のプログラム。
【請求項１８】
前記表示制御手段は、複数の記入者において前記手書きストロークを記入し終えたのが早い順に、前記表示態様を表示すると共に、前記手書きストロークを表示することを特徴とする請求項１１乃至１７のいずれか一項に記載のプログラム。
【請求項１９】
前記表示制御手段は、複数の記入者において前記手書きストロークのストローク数が多い順に、前記表示態様を表示すると共に、前記手書きストロークを表示することを特徴とする請求項１１乃至１７のいずれか一項に記載のプログラム。
【請求項２０】
前記表示態様は、前記手書きストロークの色及び／又は線幅であることを特徴とする請求項１１乃至１９のいずれか一項に記載のプログラム。
【発明の詳細な説明】
【技術分野】
【０００１】
本発明は、電子ペンによって記入された手書きストロークを表示する電子ペンシステム、及びその電子ペンシステムにおいて端末装置によって実行されるプログラムに関する。
【背景技術】
【０００２】
近年、記入した情報を電子化する電子ペンが開発されており、その代表的なものとしてスウェーデンのＡｎｏｔｏ社が開発した「アノトペン（Ａｎｏｔｏ  ｐｅｎ）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
特許文献２には、ドットパターンに対向する電子ペンの角度に起因するドットの画像上の配列を補正する回転補正処理機能が記載されている。特許文献３には、電子ペンを用いた協働学習システムにおいて、電子ペンで色・線幅選択パレット用紙にタップすると、コンピュータ上に表示されるストロークの色や線幅を変更する技術が開示されている。特許文献４には、電子ペンを用いた協働学習システムにおいて、表示画面で任意の位置・大きさの範囲を指定すると、各解答用紙における同じ範囲を並べて一覧表示する技術が開示されている。
【先行技術文献】
【特許文献】
【０００４】
【特許文献１】特許第３８７２４９８号公報
【特許文献２】特表２００３−５２９８５３号公報
【特許文献３】特開２００９−２５１９２５号公報
【特許文献４】特開２００９−２７６４７９号公報
【発明の概要】
【発明が解決しようとする課題】
【０００５】
特許文献３に記載された技術では、ユーザ（受講者）が色・線幅選択パレット用紙にタップしても、コンピュータ上で実際に色あるいは線幅が変更されたかどうかが分かりにくかった。そのため、ユーザが何度もパレット用紙をタップする場合があり、効率的に作業が進まない可能性があった。そこで、本発明は、ユーザが選択したストロークの表示態様を適切に表示させることが可能な電子ペンシステム及びプログラムを提供することを主な目的とする。
【課題を解決するための手段】
【０００６】
本発明の１つの観点では、用紙に印刷されたコード化パターンを読み取り、前記コード化パターンに応じた記入情報を生成する電子ペンと、前記電子ペンにより読み取り可能なコード化パターンが印刷され、記入者が前記電子ペンによって手書きストロークを記入する記入用紙と、前記電子ペンにより読み取り可能なコード化パターンが印刷され、記入者が、前記記入用紙に記入した手書きストロークを表示させる際の表示態様を選択するための選択用紙と、前記電子ペンから前記記入情報を受信して、当該記入情報に応じた処理を行う端末装置と、を備える電子ペンシステムであって、前記端末装置は、前記電子ペンによる前記選択用紙への記入に対応する記入情報に基づいて、記入者によって選択された前記表示態様を表示する表示制御手段を備える。
【０００７】
上記の電子ペンシステムでは、記入者は、電子ペンによって記入用紙に手書きストローク（以下では、単に「ストローク」とも表記する）を記入すると共に、電子ペンによって選択用紙に記入することで、記入用紙に記入した手書きストロークを表示させる際の表示態様を選択する。そして、端末装置は、電子ペンから受信した記入情報に基づいて、選択用紙によって選択された表示態様にて、記入用紙に記入された手書きストロークを表示すると共に、選択用紙によって選択された表示態様を表示する。これにより、記入者が電子ペンで選択用紙に記入することで表示態様を選択した場合に、表示態様が変更されたことを端末装置上で容易に判別することができる。よって、上記の電子ペンシステムによれば、表示態様を表示しない構成と比較して、記入者は効率的に作業を行うことが可能となる。
【０００８】
上記の電子ペンシステムの一態様では、前記表示制御手段は、複数の記入者によって選択された前記表示態様を、前記複数の記入者に対応付けて一覧表示する。これにより、各記入者が選択した表示態様を容易に把握することができる。
【０００９】
上記の電子ペンシステムの他の一態様では、前記表示制御手段は、操作者によって選択された記入者によって記入された前記手書きストロークに対応する第１画像を表示すると共に、前記操作者によって選択されなかった他の記入者によって記入された前記手書きストロークに対応する第２画像を、前記第１画像よりも小さなサイズで一覧表示する。
【００１０】
この態様では、表示制御手段は、操作者（端末装置を操作する者）が選択した記入者の手書きストロークを大きく表示し、操作者が選択しなかった記入者の手書きストロークを小さく表示する。具体的には、表示制御手段は、操作者が選択しなかった記入者の手書きストロークについては、同時に並べて一覧表示する。これにより、特定の記入者の手書きストロークを見易く表示させつつ、他の記入者の手書きストロークを比較可能な態様で表示させることができる。
【００１１】
上記の電子ペンシステムの他の一態様では、前記表示制御手段は、操作者によって前記第２画像が選択された場合、既に表示している前記第１画像を縮小することで第２画像として表示すると共に、操作者によって選択された前記第２画像を拡大することで第１画像として表示する。これにより、操作者の選択に応じて、第１画像と第２画像とを適宜入れ替えて表示させることができる。
【００１２】
上記の電子ペンシステムの他の一態様では、前記表示制御手段は、前記第１画像が表示される領域に前記第２画像を移動させる操作が操作者によってなされた場合に、当該第２画像を拡大することで第１画像として表示し、前記第２画像が表示される領域に前記第１画像を移動させる操作が操作者によってなされた場合に、当該第１画像を縮小することで第２画像として表示する。これにより、操作者の操作に基づき、第１画像及び第２画像の表示態様を柔軟に変更することができる。
【００１３】
上記の電子ペンシステムの他の一態様では、前記表示制御手段は、複数の記入者によって記入された前記手書きストロークの内容を分類した複数のカテゴリーに関して、前記複数のカテゴリーのいずれかを選択するための選択ボタンを表示し、前記選択ボタンによって前記複数のカテゴリーのいずれかが選択された場合に、前記複数の記入者によって記入された前記手書きストロークのうち、選択されたカテゴリーに分類された前記手書きストロークのみを表示する。これにより、操作者は、選択ボタンを用いて選択することで、所望のカテゴリーに分類された記入者の手書きストロークのみを表示させることができる。
【００１４】
上記の電子ペンシステムの他の一態様では、前記表示制御手段は、前記手書きストロークを表示するエリアを分割する態様を選択するための選択ボタンを表示し、前記選択ボタンによって前記エリアを分割する態様が選択された場合に、当該態様によって前記エリアを分割した各エリアに、前記手書きストロークを表示する。これにより、操作者の選択に基づいて画面を分割し、分割した各エリアに手書きストロークを適切に表示することができる。
【００１５】
上記の電子ペンシステムにおいて好適には、前記表示制御手段は、複数の記入者において前記手書きストロークを記入し終えたのが早い順に、前記表示態様を表示すると共に、前記手書きストロークを表示する。これにより、手書きストロークを記入し終えたのが早い順を、容易に把握することができる。
【００１６】
上記の電子ペンシステムにおいて好適には、前記表示制御手段は、複数の記入者において前記手書きストロークのストローク数が多い順に、前記表示態様を表示すると共に、前記手書きストロークを表示する。これにより、ストローク数が多い順を、容易に把握することができる。
【００１７】
好適な例では、上記した表示態様として、手書きストロークの色及び／又は線幅を用いることができる。
【００１８】
本発明の他の観点では、用紙に印刷されたコード化パターンを読み取り、前記コード化パターンに応じた記入情報を生成する電子ペンと、前記電子ペンにより読み取り可能なコード化パターンが印刷され、記入者が前記電子ペンによって手書きストロークを記入する記入用紙と、前記電子ペンにより読み取り可能なコード化パターンが印刷され、記入者が、前記記入用紙に記入した手書きストロークを表示させる際の表示態様を選択するための選択用紙と、前記電子ペンから前記記入情報を受信して、当該記入情報に応じた処理を行う端末装置と、を備える電子ペンシステムにおいて、前記端末装置によって実行されるプログラムは、前記電子ペンによる前記選択用紙への記入に対応する記入情報に基づいて、記入者によって選択された前記表示態様を表示する表示制御手段として前記端末装置を機能させる。
【００１９】
上記のプログラムの一態様では、前記表示制御手段は、複数の記入者によって選択された前記表示態様を、前記複数の記入者に対応付けて一覧表示する。
【００２０】
上記のプログラムの他の一態様では、前記表示制御手段は、操作者によって選択された記入者によって記入された前記手書きストロークに対応する第１画像を表示すると共に、前記操作者によって選択されなかった他の記入者によって記入された前記手書きストロークに対応する第２画像を、前記第１画像よりも小さなサイズで一覧表示する。
【００２１】
上記のプログラムの他の一態様では、前記表示制御手段は、操作者によって前記第２画像が選択された場合、既に表示している前記第１画像を縮小することで第２画像として表示すると共に、操作者によって選択された前記第２画像を拡大することで第１画像として表示する。
【００２２】
上記のプログラムの他の一態様では、前記表示制御手段は、前記第１画像が表示される領域に前記第２画像を移動させる操作が操作者によってなされた場合に、当該第２画像を拡大することで第１画像として表示し、前記第２画像が表示される領域に前記第１画像を移動させる操作が操作者によってなされた場合に、当該第１画像を縮小することで第２画像として表示する。
【００２３】
上記のプログラムの他の一態様では、前記表示制御手段は、複数の記入者によって記入された前記手書きストロークの内容を分類した複数のカテゴリーに関して、前記複数のカテゴリーのいずれかを選択するための選択ボタンを表示し、前記選択ボタンによって前記複数のカテゴリーのいずれかが選択された場合に、前記複数の記入者によって記入された前記手書きストロークのうち、選択されたカテゴリーに分類された前記手書きストロークのみを表示する。
【００２４】
上記のプログラムの他の一態様では、前記表示制御手段は、前記手書きストロークを表示するエリアを分割する態様を選択するための選択ボタンを表示し、前記選択ボタンによって前記エリアを分割する態様が選択された場合に、当該態様によって前記エリアを分割した各エリアに、前記手書きストロークを表示する。
【００２５】
上記のプログラムの他の一態様では、前記表示制御手段は、複数の記入者において前記手書きストロークを記入し終えたのが早い順に、前記表示態様を表示すると共に、前記手書きストロークを表示する。
【００２６】
上記のプログラムの他の一態様では、前記表示制御手段は、複数の記入者において前記手書きストロークのストローク数が多い順に、前記表示態様を表示すると共に、前記手書きストロークを表示する。
【００２７】
上記のプログラムの他の一態様では、前記表示態様は、前記手書きストロークの色及び／又は線幅である。
【００２８】
これらのプログラムを実行することにより、上記の電子ペンシステムを実現することができる。
【発明の効果】
【００２９】
本発明によれば、端末装置は、電子ペンから受信した記入情報に基づいて、選択用紙によって選択された表示態様にて、記入用紙に記入された手書きストロークを表示すると共に、選択用紙によって選択された表示態様を表示する。これにより、記入者が電子ペンで選択用紙に記入することで表示態様を選択した場合に、表示態様が変更されたことを端末装置上で容易に判別することができる。よって、表示態様を表示しない構成と比較して、記入者は効率的に作業を行うことが可能となる。
【図面の簡単な説明】
【００３０】
【図１】本実施形態に係る電子ペンシステムのシステム構成図である。
【図２】電子ペンシステムで利用される解答用紙を示す図である。
【図３】電子ペンシステムで利用されるカラーパレット用紙を示す図である。
【図４】解答用紙、電子ペン、及び受講者の対応を説明するための図である。
【図５】ドットパターンにおけるドットの配置と変換される値との関係を示す説明図である。
【図６】（ａ）は、ドットパターンを模式的に示し、（ｂ）は、それに対応する情報の例を示す図である。
【図７】電子ペンの構造を示す概略図である。
【図８】集約装置の機能ブロック図を含む電子ペンシステムのシステム構成図である。
【図９】集約装置に記憶された、ユーザＩＤとユーザ名とペンＩＤとの関係を示す図である。
【図１０】集約装置に記憶された、ユーザエリアと線種ＩＤと色及び線幅との関係を示す図である。
【図１１】集約装置に記憶させる学習データのファイルの構造図である。
【図１２】集約装置における描画アプリケーションウィンドウの表示例である。
【図１３】選択ユーザ表示ボタンが選択された場合の描画アプリケーションウィンドウの表示例である。
【図１４】比較一覧表示ボタンが選択された場合の描画アプリケーションウィンドウの表示例である。
【図１５】色・線幅の設定及び表示、並びに設定された色・線幅でのストロークの描画を行うために実行されるフローチャートである。
【図１６】選択ユーザ表示において実行される処理を示すフローチャートである。
【図１７】変形例１に係る名簿用紙を示す図である。
【図１８】変形例２に係る描画アプリケーションウィンドウの一例を示す。
【図１９】変形例２に係る描画アプリケーションウィンドウの他の例を示す。
【図２０】変形例３に係る描画アプリケーションウィンドウの一例を示す。
【図２１】変形例４に係る描画アプリケーションウィンドウの一例を示す。
【図２２】変形例５に係る描画アプリケーションウィンドウの一例を示す。
【発明を実施するための形態】
【００３１】
以下、図面を参照しながら、本発明に係るシステムの好適な実施形態について説明する。
【００３２】
［電子ペンシステムのシステム構成］
図１は、本実施形態における電子ペンシステム１０のシステム構成図である。図１に示すように、電子ペンシステム１０は、各受講者（記入者）それぞれに配布される解答用紙（記入用紙）５Ａ，５Ｂ，…（５）と、解答用紙５に解答（筆跡）を記入し、記入した情報を外部へＢｌｕｅｔｏｏｔｈ（登録商標）等の無線通信方式で送信するための電子ペン１Ａ，１Ｂ，…（１）と、各電子ペン１から送信される記入情報を受信してディスプレイ（表示手段）に記入内容等を表示する集約装置（端末装置）２とを備える。
【００３３】
なお、図１では、集約装置２は、電子ペン１Ａ〜１Ｃから直接、記入情報を受信しているが、記入される解答用紙５が多いために記入情報を送信する電子ペン１の本数が多い場合や、受講者が解答する会場が離れている等により無線通信の範囲外となるような場合は、他の電子ペン１Ｄ、１Ｅ、…から送信される記入情報を中継して集約装置２へ転送するための転送装置３を設ける。このとき、転送装置３から集約装置２へのデータの送信は、例えばＬＡＮ経由でＴＣＰ／ＩＰの通信方式で行うとよい。各電子ペン１には、アノトペンを利用することができ、集約装置２には、ラップトップパソコンなどを利用することができ、転送装置３には、ラップトップパソコンやデータ転送専用のコンピュータなどを利用することができる。プロジェクタ４は、集約装置２から表示情報を受信して、集約装置２の画面をスクリーン６へ投影表示する装置である。
【００３４】
また、本システム１０では、電子ペン１で解答用紙５に記入するにあたって、集約装置２での記入した筆跡を表示する色及び線幅を特定するためのカラーパレット用紙（選択用紙）７が備えられている。なお、図１ではカラーパレット用紙７を１枚しか図示していないが、実際には、カラーパレット用紙７は複数枚存在し、各受講者それぞれに配布される。
【００３５】
［解答用紙］
図２を参照して解答用紙（記入用紙）５について説明する。図２に示すように、受講者ごとに複数枚の解答用紙５が一組用意され、同じ組の解答用紙５には、それぞれ異なる座標範囲のドットパターン（コード化パターン）が印刷される。また、解答用紙５には、マス目が印刷されている。ドットパターンは、赤外線を吸収するカーボンを含んだインキにより印刷され、マス目は、赤外域に吸収性を持たないインキにより印刷される。なお、解答用紙５に、記入欄や問題や解答欄等を印刷しておいても良い。
【００３６】
［カラーパレット用紙］
図３を参照してカラーパレット用紙７について説明する。カラーパレット用紙７の略全面に、電子ペン１によって読取可能なドットパターン（コード化パターン）が印刷され、その上に、ユーザエリア７０１〜７０６が規定されている。具体的には、ユーザエリア７０１〜７０６には、それぞれ異なる座標範囲のドットパターン（コード化パターン）が印刷されている。ユーザエリア７０１〜７０６は、電子ペン１によるストローク情報（筆跡）を集約装置２の表示手段２６で表示する色及び線幅（表示態様）を選択するために用いられる。ユーザエリア７０１は、ストローク情報を集約装置２の表示手段２６に黒色で表示するためのユーザエリアであり、「くろ」と印刷されている。ユーザエリア７０２は、ストローク情報を集約装置２の表示手段２６に赤色で表示するためのユーザエリアであり、「あか」と印刷されている。ユーザエリア７０３は、ストローク情報を集約装置２の表示手段２６に青色で表示するためのユーザエリアであり、「あお」と印刷されている。
【００３７】
また、ユーザエリア７０４は、ストローク情報を集約装置２の表示手段２６に０．３ｍｍの線幅で表示するためのユーザエリアであり、「０．３ｍｍ」と印刷されている。ユーザエリア７０５は、ストローク情報を集約装置２の表示手段２６に０．５ｍｍの線幅で表示するためのユーザエリアであり、「０．５ｍｍ」と印刷されている。ユーザエリア７０６は、ストローク情報を集約装置２の表示手段２６に１．０ｍｍの線幅で表示するためのユーザエリアであり、「１．０ｍｍ」と印刷されている。カラーパレット用紙７に印刷されたドットパターンは、解答用紙５とは異なるドットパターンを有し、そのドットパターンは、赤外線を吸収するカーボンを含んだインキにより印刷されている。また、各ユーザエリア７０１〜７０６の枠や文字は、赤外域に吸収性を持たないインキにより印刷される。受講者等は、集約装置２の表示手段２６に表示させるストローク情報（筆跡）の色や線幅を設定する際に、電子ペン１のペン先部１０３で所望のユーザエリアにタップする。
【００３８】
［解答用紙、電子ペンと受講者の対応等］
解答用紙、電子ペンと受講者（記入者）の対応等については、本実施形態では、図４に示すように、受講者「太郎」が、電子ペン１Ａを用いて解答用紙５Ａに解答し、受講者「次郎」が、電子ペン１Ｂを用いて解答用紙５Ｂに解答し、受講者「三郎」が、電子ペン１Ｃを用いて解答用紙５Ｃに解答し、受講者「四郎」が、電子ペン１Ｄを用いて解答用紙５Ｄに解答し、受講者「五郎」が、電子ペン１Ｅを用いて解答用紙５Ｅに解答するものとする。また、講師（操作者）「花子」が、集約装置２を操作するものとする。
【００３９】
［ドットパターン］
【００４０】
次に、図５と図６を参照しながら、解答用紙５及びカラーパレット用紙７に印刷されたアノト方式のドットパターン（コード化パターン）について説明する。図５は、解答用紙５及びカラーパレット用紙７に印刷されたドットパターンのドットと、そのドットが変換される値との関係を説明する図である。図５に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、用紙上の位置座標が決定されるように構成されている。
【００４１】
図６（ａ）は、あるドットパターンの配列を示している。図６（ａ）に示すように、縦横約２ｍｍの範囲内に６×６個のドットが、用紙上のどの部分から６×６ドットを取っても、ユニークなパターンとなるように配置されている。これら３６個のドットにより形成されるドットパターンは位置座標（例えば、そのドットパターンが解答用紙５上のどの位置にあるのか）を保持している。図６（ｂ）は、図６（ａ）に示す各ドットを、格子の基準位置からのシフト方向によって、図５に示す規則性に基づいて、対応づけられた値に変換したものである。この変換は、ドットパターンの画像を撮影する電子ペン１によって行われる。
【００４２】
［電子ペン］
次に、電子ペン１について図７を用いて説明する。図７は、電子ペン１の構造を示す概略図である。図７に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１、及びバッテリー１１２を備える。インクカートリッジ１０４の先端は、ペン先部１０３となっており、各受講者は、電子ペン１のペン先部１０３を、カラーパレット用紙７にタップしたり、解答用紙５に当接させてストローク（手書きストローク）を記入したりする。インクカートリッジ１０４のインクは、赤外線を吸収する材料（例えばカーボン）を含まないようにする。ここで、電子ペン１のペン先部１０３が用紙に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００４３】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、受講者が電子ペン１により解答用紙５に文字やマークを書いたりカラーパレット用紙７にタップしたりする際にペン先部１０３からインクカートリッジ１０４を通じて与えられる圧力、即ち筆圧を検出し、その値をプロセッサ１０８へ伝送する。
【００４４】
プロセッサ１０８は、圧力センサ１０７から与えられる筆圧データに基づいて、ＬＥＤ１０５及びＣＭＯＳカメラ１０６のスイッチのオン／オフを切り替える。即ち、受講者が電子ペン１で解答用紙５に文字などを書くと、ペン先部１０３に筆圧がかかり、圧力センサ１０７によって所定値以上の筆圧が検出されたときに、プロセッサ１０８は、受講者が記入を開始したと判定して、ＬＥＤ１０５及びＣＭＯＳカメラ１０６を作動させる。そして、受講者が１つのストロークを記入し終えて電子ペン１を解答用紙５から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として集約装置２へ送信する。
【００４５】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、解答用紙５及びカラーパレット用紙７上のペン先部１０３近傍に向けて赤外線を照明する。その領域は、ペン先部１０３が解答用紙５及びカラーパレット用紙７に接触する位置とはわずかにずれている。ＣＭＯＳカメラ１０６には、赤外線を透過し赤外線以外を遮断する赤外線透過フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、カーボンを含むドットの領域とそれ以外の領域を区別することができる。したがって、解答用紙５に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図６（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００４６】
プロセッサ１０８は、受講者の記入が行われる間、ＣＭＯＳカメラ１０６によって供給される画像データのドットパターンから、受講者が記入するストローク（筆跡）の解答用紙５上におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図６（ａ）に示されるようなドットパターンの画像データを図６（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の角度に起因するドットの画像上の配列を補正する回転補正処理機能を備えており、座標演算に利用されている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、解答用紙５及びカラーパレット用紙７における６×６のドットパターンは、解答用紙５内及びカラーパレット用紙７内で重複することはないため、受講者が電子ペン１で文字等を記入すると、記入された位置が解答用紙５及びカラーパレット用紙７のどの位置に当たるかを、プロセッサ１０８による座標演算により特定することができる。
【００４７】
メモリ１０９には、各電子ペン１Ａ〜１Ｅを識別するためのそれぞれのペンＩＤ「ｐｅｎ０１」〜「ｐｅｎ０５」、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として集約装置２へ送信する。通信ユニット１１１による集約装置２への送信は、Ｂｌｕｅｔｏｏｔｈ（登録商標）などの無線送信によって、即時的かつ逐次的に行われる。ここで、電子ペン１のペンダウンからペンアップまでの間に生成されて集約装置２に送信された１個又は複数個の座標属性情報は、集約装置２によりストローク情報として記憶される。換言すると、１つのストロークは、１個又は複数個のＸ、Ｙ座標（座標点）からなり、集約装置２は、ペンダウン情報及びペンアップ情報によって、１つのストロークを構成する１個又は複数個の座標属性情報を認識する。
【００４８】
このように、各電子ペン１Ａ〜１Ｅは、受講者が解答用紙５及びカラーパレット用紙７に記入する都度、記入情報を生成して、集約装置２へ送信する。言い換えると、各電子ペン１Ａ〜１Ｅは、受講者が解答用紙５及びカラーパレット用紙７に記入し続けている間、記入情報を生成し、集約装置２へ送信し続ける。そして、受講者が電子ペン１を解答用紙５及びカラーパレット用紙７から離す（ペンアップする）と、当該電子ペン１は、圧力センサ１０７で所定値以上の筆圧が検出されなくなったことにより、受講者が記入を停止したと判定する。そして、この場合、ペンアップされた電子ペン１は、ＬＥＤ１０５とＣＭＯＳカメラ１０６を停止して、集約装置２への記入情報の送信を中止する。
【００４９】
［転送装置］
図８を参照して転送装置３について説明する。図８に、転送装置３の機能ブロック図と集約装置２の機能ブロック図とを含む電子ペンシステム１０のシステム構成図を示す。
【００５０】
図８に示すように、転送装置３は、転送受信手段３１と転送送信手段３２とを備える。転送受信手段３１は、電子ペン１からＢｌｕｅｔｏｏｔｈ（登録商標）の無線通信方式で送信される記入情報等のデータを受信する手段である。転送送信手段３２は、転送受信手段３１によって受信した記入情報等のデータを集約装置２に送信する手段である。転送送信手段３２による集約装置２へのデータの送信は、例えばＬＡＮ経由でＴＣＰ／ＩＰの通信方式により行うと良い。
【００５１】
［集約装置］
続いて、集約装置２について説明する。図８に示すように、集約装置２は、範囲指定手段２０、入力手段２１、集約個別受信手段（受信手段）２２、集約転送受信手段（受信手段）２３、集約処理手段（処理手段）２４、記憶手段２５、表示手段２６、及び送信手段２７を備える。集約装置２は、ハードウェアとして、電子ペン１やプロジェクタ４とのデータ通信が可能な通信装置と、ＣＰＵ等のプロセッサと、ＲＯＭやＲＡＭ、ハードディスクなどのメモリと、ディスプレイと、マウスやキーボード等で構成されているパーソナルコンピュータ等である。また、集約装置２は、集約処理手段２４による描画アプリケーション（プログラム）の実行により、電子ペン１から受信した記入情報を処理して、表示手段２６に記入内容を再現する。
【００５２】
集約個別受信手段２２は、電子ペン１から送信された記入情報等のデータを受信する手段である。集約転送受信手段２３は、転送装置３から転送された記入情報等のデータを受信する手段である。集約個別受信手段２２及び集約転送受信手段２３は、アンテナや受信回路等により構成される。
【００５３】
範囲指定手段２０は、マウス等のポインティング・デバイスとその操作を検知する手段によって構成され、マウスによって、表示手段２６の画面におけるボタンのクリック操作や任意の位置・大きさの長方形状の画面範囲を指定するドラッグ操作が可能である。入力手段２１は、処理や表示の種別を含む処理態様を指示する手段であり、キーボードやマウスとその操作を検知する手段によって構成される。このように、マウスは、その操作によって範囲指定手段２０と入力手段２１とを兼ねる。送信手段２７は、表示手段２６に表示される内容と同じ内容をプロジェクタ４からスクリーン６へ投影表示させるため、表示手段２６への表示信号を同期してプロジェクタ４へ送信する手段である。
【００５４】
記憶手段２５は、ＲＯＭやＲＡＭ、ハードディスクなどのメモリによって構成され、解答用紙５における各ユーザエリアと位置座標とを関連付けて記憶する。また、図９に示すように、記憶手段２５は、電子ペン１が保持する固有のペンＩＤに対して、ユーザＩＤとユーザ名とをユーザ定義情報として関連付けて記憶する。図９において、例えば、ペンＩＤ「ｐｅｎ０１」には、ユーザＩＤ「Ｕ０１」とユーザ名「太郎」とが予め関連付けられて記憶されている。さらに、記憶手段２５は、各電子ペン１によって送信されてきた記入情報を、ペンＩＤごとに記憶する。
【００５５】
また、記憶手段２５は、カラーパレット用紙７における各ユーザエリア７０１〜７０６と色及び線幅と線種ＩＤとを関連付けて、カラーパレット定義情報として記憶する。すなわち、図１０に示すように、記憶手段２５は、ユーザエリア７０１〜７０６ごとに、ストローク情報（筆跡）を集約装置２の表示手段２６で表示する色及び線幅と線種ＩＤとを記憶している。また、カラーパレット定義情報においては、各ユーザエリア７０１〜７０６と、対応するドットパターンの座標範囲とが関連付けられている。ここで、ユーザエリア７０１〜７０３には、ストローク情報を集約装置２の表示手段２６に表示する色として、それぞれ、「くろ」、「あか」、「あお」とその線種ＩＤ「Ｌ７１」、「Ｌ７２」、「Ｌ７３」が関連付けられ、ユーザエリア７０４〜７０６には、ストローク情報を集約装置２の表示手段２６に表示する線幅として、「０．３ｍｍ」、「０．７ｍｍ」、「１．０ｍｍ」とその線種ＩＤ「Ｌ７４」、「Ｌ７５」、「Ｌ７６」が関連付けられている。各ユーザエリア７０１〜７０６に関連付けられている色及び線幅は、カラーパレット７の各ユーザエリア７０１〜７０６に印刷されている文字や線の色及び線幅と対応するので、受講者が使いたい色及び線幅を選び易くなりカラーパレット７の使い勝手がよい。
【００５６】
記憶手段２５には、記入情報およびユーザ定義情報に基づいて、集約処理手段２４による描画アプリケーション（プログラム）の実行により、ファイル形式で学習データが保存される。図１１は、データのファイル形式の概略的な構造を示している。図１１に示すように、学習データは、ファイル属性情報と、ユーザＩＤ別の個人学習データとを有する。ファイル属性情報には、作成日時情報が含まれている。また、個人学習データには、ユーザＩＤと、電子ペン１から送信された記入情報の位置座標情報等を含むユーザストローク情報と、解答内容等に応じてカテゴライズのために操作者によって設定されるユーザ色（分類）情報等が含まれている。ユーザＩＤは、集約処理手段２４により、記入情報に含まれるペンＩＤに基づいて、記憶手段２５に予め記憶されたユーザ定義情報を参照することで特定され、当該記入情報に基づくユーザストローク情報と対応付けられる。ユーザストローク情報は、電子ペン１が演算した位置座標（ＸＹ座標）情報、記入された時の時刻情報、及び筆圧情報が含まれる。また、ストロークの色及び線幅は、ストロークに関連付けてユーザストローク情報として記憶される。ファイルデータを読み込む際には、操作者が、入力手段２１によって、ユーザＩＤやユーザ色情報などを所定の入力エリアに入力することで、集約処理手段２４によって特定のデータを検索させ、ユーザストローク情報を表示手段２６に再現させることができる。
【００５７】
集約処理手段２４は、電子ペン１からのデータを集約して処理する手段であり、アプリケーションプログラムの実行により機能を発揮するＣＰＵ等のプロセッサによって構成されている。この集約処理手段２４は、電子ペン１から位置座標及びペンＩＤ等を含む記入情報を受信すると、ペンＩＤごとに記入情報を記憶手段２５に記憶させる。また、集約処理手段２４は、ペンＩＤごとに関連付けられた記入情報を筆跡として再現して表示手段２６に表示させ、また、範囲指定手段２０のマウス操作でドラッグにより指定された範囲に対応する各解答用紙５における記入情報を、記憶手段２５から抽出して、各解答用紙５における記入情報を筆跡として表示手段２６に一覧表示させる等、様々な処理を行う。
【００５８】
また、集約処理手段２４は、解答用紙５についての記入情報を含む学習データに基づいて、表示手段２６に記入内容を表示させるとともに電子ペンＩＤに対応するユーザＩＤに対応するユーザ名を表示させる。表示手段２６に電子ペン１による記入内容とユーザ名とが表示されるため、操作者である講師「花子」は、受講者（記入者）とその者による記入内容とを合わせて認識することができる。また、集約処理手段２４は、表示手段２６と同じ内容を同期させて、プロジェクタ４からスクリーン６へ投影表示させるため、表示手段２６に対する表示信号と同じ信号を送信手段２７に対してプロジェクタ４へ向けて送信させる。すると、各受講者も、プロジェクタ４からスクリーン６へ投影表示された記入内容とその記入者とを合わせて認識することができる。なお、詳細は後述するが、集約処理手段２４は、本発明における「表示制御手段」の一例に相当する。
【００５９】
［描画アプリケーションによる画面表示］
次に、描画アプリケーションの実行による集約処理手段２４の表示手段２６への表示処理について図１２を参照しつつ説明する。図１２は、表示手段２６の表示画面に表示された描画アプリケーションに基づくウィンドウ（「描画アプリケーションウィンドウ」とも呼ぶ。）の一例を示す。
【００６０】
図１２に示すように、電子ペン１で解答用紙５に記入された際に生成された記入情報に基づいて、集約装置２で記憶手段２５に個別学習データとして記憶したユーザストローク情報（以下、単に「ストローク」とも表記する。）は、集約処理手段２４によって、表示手段２６のユーザストローク情報表示領域５０に描画される。描画するユーザストローク情報が、拡大表示などでユーザストローク情報表示領域５０よりも大きい場合、集約処理手段２４は、横スクロールバー５１及び縦スクロールバー５２を有効とし、操作者のマウス操作によってユーザストローク情報表示領域５０をスクロールして、ユーザストローク情報全体を複数回に分けて表示できるようにする。
【００６１】
また、集約処理手段２４は、描画アプリケーションウィンドウ上部に、機能ボタンとして、選択ユーザ表示ボタン５３、比較一覧表示ボタン５４、再生表示ボタン５６、選択画像出力ボタン５７、表示サイズ変更リスト５８、縮小表示ボタン５９、拡大表示ボタン６０、ページ送りボタン６１，６２、回転表示ボタン６３、６４、及びユーザコントロール表示ボタン６５などを表示し、マウスによる機能ボタンの選択により、それぞれの処理を実行する。
【００６２】
選択ユーザ表示ボタン５３は、後述するユーザ選択リスト６９から選択した１つのユーザ名に対応するユーザストローク情報を大きく表示し、他のユーザ名に対応するユーザストローク情報を小さく表示したサムネイルを一覧表示するためのボタンである。以後、選択ユーザ表示ボタン５３が選択された際の描画アプリケーションウィンドウの表示を「選択ユーザ表示」と呼ぶ。比較一覧表示ボタン５４は、複数のユーザ名に対応するユーザストローク情報を同時に並べて一覧表示するためのボタンである。以後、比較一覧表示ボタン５４が選択された際の描画アプリケーションウィンドウの表示を「比較一覧表示」と呼ぶ。再生表示ボタン５６は、ユーザストローク情報を１ストロークずつ再生表示するためのボタンである。選択画像出力ボタン５７は、任意選択範囲がある場合にその範囲内のユーザストローク情報を、画像データとして出力するためのボタンである。この機能を設けることで、各受講生の記入情報から、参考となる模範解答集などを容易に作成できるようになる。
【００６３】
表示サイズ変更リスト５８は、現在、ユーザストローク情報表示領域５０に描画するユーザストローク情報の表示サイズを示すリストである。また、操作者がマウスを用いてプルダウンメニューの中から表示サイズを任意に選択し、変更できる。縮小表示ボタン５９は、ユーザストローク情報表示領域５０に描画するユーザストローク情報の表示サイズを、現在設定されている表示サイズから所定の割合で縮小する機能である。拡大表示ボタン６０は、ユーザストローク情報表示領域５０に描画するユーザストローク情報の表示サイズを、現在設定されている表示サイズから所定の割合で拡大する機能である。ページ送りボタン６１，６２は、解答用紙５のセットが複数枚に及ぶ場合に、異なるページアドレス（用紙ドットパターン）の解答用紙５を表示するためのボタンである。回転表示ボタン６３，６４は、ユーザストローク情報表示領域５０に描画するユーザストローク情報を９０度ずつ回転させるためのボタンである。このような機能を設けることで、表示上の用紙向きを簡単に変更できる。ユーザコントロール表示ボタン６５は、ユーザコントロールリスト６８の表示・非表示を切り替える機能である。非表示にすることで、ユーザストローク情報表示領域５０を拡大できる。
【００６４】
図１２に示すように、ユーザコントロールリスト６８には、ユーザ選択リスト６９、色分類ボタン７１〜７６、名簿順ソートボタン７８、色順ソートボタン７９、分類グラフ表示ボタン８１、リロードボタン８２などが表示される。
【００６５】
ユーザ選択リスト６９は、ユーザストローク情報表示領域５０に表示するユーザストローク情報を、ユーザ名で選択するためのリストである。ユーザ選択リスト６９は、ユーザ色（分類）情報表示欄６９１と、ユーザ名表示欄６９２と、色・幅表示欄６９３とを備える。集約処理手段２４は、電子ペン１から取得して個別学習データとして記憶手段２５に記憶したユーザストローク情報ごとに関連付けられているユーザＩＤに対応するユーザ名をユーザ名表示欄６９２に表示し、色分類ボタン７１〜７６によって選択されたユーザ色（分類）情報をユーザ色（分類）情報表示欄６９１に表示し、各受講者がカラーパレット用紙７で選択したストロークの色及び線幅を色・幅表示欄６９３に表示する。ユーザ選択リスト６９のユーザ名表示欄６９２には、集約処理手段２４により、記憶手段２５に記憶した個別学習データのユーザＩＤに対応するユーザ名が表示される。そして、操作者がマウスによって、ユーザ選択リスト６９から所望のユーザを選択したうえで選択ユーザ表示ボタン５３をクリックすると、集約処理手段２４は、ユーザストローク情報表示領域５０に、選択された受講者のストローク情報を大きく表示させると共に、他の受講者のストローク情報を小さく表示したサムネイルを一覧表示させる。
【００６６】
色分類ボタン７１〜７６は、ユーザ選択リスト６９に表示されている受講者ごとにユーザ色（分類）情報を設定するためのボタンである。ボタン７１は赤色に、ボタン７２は青色に、ボタン７３は黄色に、ボタン７４は緑色に、ボタン７５は茶色に、ボタン７６は白色にユーザ色（分類）情報を設定するためのボタンである。集約装置２の操作者は、マウスによって、ユーザ選択リスト６９内の特定のユーザ名を選択し、色分類ボタン７１〜７６のうち所望のボタンを選択すると、集約処理手段２４は、ユーザ選択リスト６９内の選択されたユーザ名のユーザ色（分類）情報表示欄６９１を指定された色で表示する。この機能により、操作者である講師が、ユーザストローク情報表示領域５０に表示される受講者の解答内容を見て、その考え方などをカテゴリー分けして色をつけ、見易くすることができる。なお、ユーザ色（分類）情報は、未設定時は、白色に設定しておくとよい。
【００６７】
名簿順ソートボタン７８は、ユーザ選択リスト６９に表示されているユーザ一覧を、名簿番号順に並べ替えるためのボタンである。本実施形態では、図９に示すユーザＩＤ順を名簿番号順としている。色順ソートボタン７９は、ユーザ選択リスト６９に表示されているユーザ一覧を、色分類ボタン７１〜７６の操作によって付されたユーザ色（分類）情報が同じ受講者同士を連続して配列されるように、ユーザ色（分類）情報順に並べ替えるためのボタンである。分類グラフ表示ボタン８１は、色分類ボタン７１〜７６の操作によって付されたユーザ色情報別のユーザ数を、ユーザストローク情報表示領域５０に棒グラフ等で表示するためのボタンである。
【００６８】
リロードボタン８２は、ユーザ選択リスト６９において選択されている受講者のユーザストローク情報を、学習データファイル保存時の状態まで戻すためのボタンである。この機能により、操作者である講師が、リロードボタン８２をマウスで選択すると、集約処理手段２４は、選択されている受講者に関連付けられているユーザＩＤに基づいて、前回のファイル保存以降に電子ペン１より受信して記憶手段２５のユーザＩＤ別の格納領域に記憶したユーザストローク情報をクリアして、前回ファイル保存した時点までのユーザストローク情報を読み出し、ユーザストローク情報表示領域５０に表示する。この機能により、個々の受講者が解答をやり直したい場合などに対応できる。
【００６９】
また、ファイルデータの保存やアプリケーションの設定などは、一般的なアプリケーションと同様に、機能メニューとして用意しておくと良い。ファイルメニュー９０のプルダウンメニューとして、ファイルデータの読み込み・保存を実行するメニュー、画像形式で保存するメニュー、アプリケーションの終了を実行するメニューなど、アプリケーションの全般的な管理に関する実行機能を一覧で用意しておくと便利である。
【００７０】
また、ファイルデータの保存に関するファイル形式を、ユーザ別のユーザストローク情報と設定情報を関連付けた構造としているので、ファイルデータを読み込む際、ユーザＩＤやユーザ色情報などから特定のデータを検索し、検索されたユーザストローク情報をユーザストローク情報表示領域５０に表示することができる。
【００７１】
表示メニュー９１のプルダウンメニューとして、ウィンドウ枠を隠しアプリケーションの表示領域を最大限拡大する全画面表示メニューなど、アプリケーションの表示に関する実行機能を一覧で用意しておくと便利である。またツールメニュー９２のプルダウンメニューとして、電子ペン１の接続経由状況（例えば転送装置３のＩＰアドレスなど）を表示するペン管理メニュー、ユーザストローク情報を表示する背景となる解答用紙５の画像を設定する用紙管理メニュー、アプリケーションのバージョンやプロパティ情報などを表示するメニューなど、アプリケーションの設定に関する実行機能を一覧で用意しておくと便利である。これらのボタンやメニューが選択されると、集約処理手段２４により各機能が実行される。
【００７２】
［選択ユーザ表示機能］
次に、図１３を参照して、選択ユーザ表示ボタン５３が選択された場合の選択ユーザ表示機能について説明する。
【００７３】
図１３は、選択ユーザ表示ボタン５３が選択された場合に表示される描画アプリケーションウィンドウの選択ユーザ表示の一例を示す。図１３に示すように、集約処理手段２４は、選択ユーザ表示ボタン５３が選択された場合に、ユーザストローク情報表示領域５０に、ユーザ選択リスト６９を用いて操作者によって選択された受講者（図１３に示す例では「太郎」）のユーザストローク情報を大きく表示した拡大画像２００Ａ（２００）を表示させると共に、操作者によって選択されなかった他の受講者（図１３に示す例では「次郎」、「三郎」、「四郎」、「五郎」）のユーザストローク情報を、拡大画像２００よりも小さく表示したサムネイル２０１Ｂ〜２０１Ｅ（２０１）で一覧表示させる。具体的には、集約処理手段２４は、ユーザストローク情報表示領域５０の上部エリアに拡大画像２００を表示させ、ユーザストローク情報表示領域５０の下部エリアにサムネイル２０１を同時に並べて一覧表示させる。この場合、集約処理手段２４は、同じ縮尺にて、各受講者のユーザストローク情報に対応するサムネイル２０１を表示させる。
【００７４】
より詳しくは、集約処理手段２４は、カラーパレット用紙７を用いて受講者によって選択された色・線幅によって、若しくは色・線幅が選択されていない場合にはデフォルトの色・線幅によって、各受講者によって電子ペン１で解答用紙５に記入されたストロークを表示させる。また、集約処理手段２４は、各受講者によって記入されたストロークが少なくとも含まれるような範囲を切り出して、その切り出した範囲に対応する画像を、拡大画像２００及びサムネイル２０１として表示させる。各受講者でストローク数やストローク長などが異なることから、当該切り出した範囲のサイズが異なるため、各受講者でサムネイル２０１のサイズが異なる傾向にある。更に、集約処理手段２４は、操作者によって選択された受講者（つまりストロークを大きく表示している受講者）に対応するユーザ選択リスト６９の箇所を強調表示させる。具体的には、集約処理手段２４は、操作者によって選択された受講者（図１３に示す例では「太郎」）に対応するユーザ選択リスト６９の番号を、赤色などの枠９９で囲って表示させる。なお、集約処理手段２４は、一覧表示させるサムネイル２０１がユーザストローク情報表示領域５０に収まらない場合には、横スクロールバー５１を有効とし、操作者のマウス操作によってユーザストローク情報表示領域５０をスクロールして、サムネイル２０１を複数回に分けて表示できるようにする。
【００７５】
なお、拡大画像２００は本発明における「第１画像」に相当し、サムネイル２０１は本発明における「第２画像」に相当する。ここで、拡大画像２００は、受講者によって記入されたストロークを実際に拡大した画像という意味で「拡大」の文言を用いているわけではなく、サムネイル２０１よりもサイズが大きい画像という意味で「拡大」の文言を用いている（以下同様とする）。この定義は、後述する「拡大表示」や「縮小表示」にも同様に適用される。つまり、「拡大表示」は、実際のストロークを拡大して表示するという意味で用いるわけではなく、サムネイル２０１よりも大きなサイズで表示するという意味で用い、「縮小表示」は、実際のストロークを縮小して表示するという意味で用いるわけではなく、拡大画像２００よりも小さなサイズで表示するという意味で用いる（以下同様とする）。
【００７６】
他方で、集約処理手段２４は、操作者のマウス操作などによってサムネイル２０１のいずれか１つが選択された場合に、既に拡大表示されている拡大画像２００を縮小表示させると共に、選択されたサムネイル２０１を拡大表示させる。つまり、集約処理手段２４は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００７７】
また、図１３に示すように、各受講者の色・幅表示欄６９３に、現在設定されているストロークの色及び線幅が表示されている。具体的には、受講者「太郎」は、色が青で線幅が１ｍｍであることを示す線分が表示され、受講者「次郎」は、色が赤で線幅が０．７ｍｍであることを示す線分が表示され、受講者「三郎」は、色が青で線幅が０．７ｍｍであることを示す線分が表示され、受講者「四郎」は、色が黒で線幅が０．７ｍｍであることを示す線分が表示され、受講者「五郎」は、色が黒で線幅が０．３ｍｍであることを示す線分が表示されている。集約処理手段２４は、カラーパレット用紙７を用いて受講者によって色・線幅が選択された場合には、その色・線幅を色・幅表示欄６９３に表示させる。他方で、集約処理手段２４は、受講者によって色・線幅が選択されていない場合には、デフォルトの色・線幅を色・幅表示欄６９３に表示させる。例えば、デフォルトの色は黒であり、デフォルトの線幅は０．７ｍｍｍである。
【００７８】
また、図１３に示すように、各受講者のユーザ色（分類）情報表示欄６９１に、色が付されて表示されている。具体的には、受講者「太郎」は黄色が付され、受講者「次郎」は黄色が付され、受講者「三郎」は青色が付され、受講者「四郎」は赤色が付され、受講者「五郎」は黄色が付されている。操作者は、受講者の解答の考え方（解き方）をカテゴリー分けして、それぞれに色を割り当て、各受講者ごとに色分類ボタン７１〜７６のうちの所望のボタンを選択する。そして、集約処理手段２４は、各受講者のユーザ色（分類）情報表示欄６９１を、操作者によって指定された色で表示させる。図１３に示す例では、操作者は、数列を用いた解答の考え方に黄色を割り当て、三角形の面積を用いた解答の考え方に青色を割り当て、台形の面積に基づいた解答の考え方に赤色を割り当てている。
【００７９】
［比較一覧表示機能］
次に、図１４を参照して、比較一覧表示ボタン５４が選択された場合の比較一覧表示機能について説明する。
【００８０】
図１４は、比較一覧表示ボタン５４が選択された場合に表示される描画アプリケーションウィンドウの比較一覧表示の一例を示す。図１４に示すように、集約処理手段２４は、操作者によって比較一覧表示ボタン５４が選択された場合に、ユーザストローク情報表示領域５０に、各受講者のユーザストローク情報を縮小表示したサムネイル２０２Ａ〜２０２Ｅ（２０２）を同時に並べて一覧表示させる。この場合、集約処理手段２４は、同じ縮尺にて、各受講者のユーザストローク情報に対応するサムネイル２０２を表示させる。また、集約処理手段２４は、各受講者によって記入されたストロークが少なくとも含まれるような範囲を切り出して、その切り出した範囲に対応する画像をサムネイル２０２として表示させる。
【００８１】
なお、図１４に示す例でも、図１３と同様に、各受講者のユーザ色（分類）情報表示欄６９１に、色が表示されていると共に、各受講者の色・幅表示欄６９３に、現在設定されているストロークの色及び線幅が表示されている。
【００８２】
［処理フロー］
次に、図１５及び図１６を参照して、本実施形態において集約装置２が行う処理フローについて説明する。
【００８３】
図１５は、色・線幅の設定及び表示、並びに設定された色・線幅でのストロークの描画を行うために実行されるフローチャートである。まず、集約装置２では、集約個別受信手段２２及び集約転送受信手段２３が電子ペン１から記入情報を受信して、集約処理手段２４が、ストローク情報やペンＩＤを含む記入情報を記憶手段２５に記憶させる（ステップＳ１０１）。そして、集約処理手段２４は、記入情報に含まれるペンＩＤを認識する（ステップＳ１０２）。この際に、集約処理手段２４は、ユーザ定義情報を参照することで（図９参照）、記入情報に含まれるペンＩＤに対応するユーザＩＤやユーザ名を特定する。次に、集約処理手段２４は、記入情報に含まれる位置座標から用紙の種類を判定する（ステップＳ１０３）。
【００８４】
ステップＳ１０３において、集約処理手段２４は、ストローク情報に含まれる位置情報に基づいて特定したユーザエリアと用紙種別からカラーパレット用紙７に記入されているものと判断した場合（ステップＳ１０３：カラーパレット用紙）、カラーパレット定義情報（図１０参照）を参照して、そのユーザエリアに対応する色・線幅を特定し、特定した色・線幅を、ステップＳ１０２で認識したペンＩＤの電子ペン１によるストロークを描画するための色・線幅として設定する（ステップＳ１０４）。詳しくは、集約処理手段２４は、記入情報の座標データに基づいて、カラーパレット定義情報を参照して、ユーザエリアの色や線種を特定する。そして、集約処理手段２４は、こうして設定した色・線幅を、ステップＳ１０２で認識したペンＩＤに対応する色・幅表示欄６９３に表示させる（ステップＳ１０５）。
【００８５】
一方、ステップＳ１０３において、集約処理手段２４は、ユーザストローク情報に含まれる位置情報に基づいて特定したユーザエリアと用紙種別から解答用紙５に記入されているものと判断した場合（ステップＳ１０３：解答用紙）、ユーザストローク情報表示領域５０に、ステップＳ１０４で設定された色・線幅でストロークを描画させる（ステップＳ１０６）。
【００８６】
なお、集約処理手段２４は、カラーパレット用紙７を用いて受講者によって色及び線幅の両方が選択された場合には、受講者によって選択された色及び線幅を設定する。これに対して、集約処理手段２４は、受講者によって色及び線幅の一方のみしか選択されていない場合には、色及び線幅の一方をユーザが選択したものに設定すると共に、色及び線幅の他方をデフォルトのものに設定する。他方で、集約処理手段２４は、受講者によって色及び線幅のいずれも選択されていない場合には、デフォルトの色及び線幅を設定する。そして、集約処理手段２４は、このように設定した色及び線幅を色・幅表示欄６９３に表示させると共に、その色及び線幅でストロークを描画させる。なお、例えば、デフォルトの色は黒であり、デフォルトの線幅は０．７ｍｍｍである。
【００８７】
図１６は、選択ユーザ表示において実行される処理を示すフローチャートである。まず、集約処理手段２４は、操作者のマウス操作等によって、下部エリアに表示されたサムネイル２０１のいずれか１つが選択されたことを検知する（ステップＳ２０１）。そして、集約処理手段２４は、上部エリアに既に表示されている拡大画像２００を縮小表示させると共に、操作者によって選択されたサムネイル２０１を上部エリアに拡大表示させる（ステップＳ２０２）。つまり、集約処理手段２４は、既に拡大表示されている拡大画像２００をサムネイル２０１として一覧表示させると共に、操作者によって選択されたサムネイル２０１を拡大画像２００として表示させる。言い換えると、既に拡大表示されている拡大画像２００と、操作者によって選択されたサムネイル２０１とを入れ替える。
【００８８】
［本実施形態による作用効果］
以上説明した本実施形態によれば、集約装置２は、受講者ごとに、現在設定されているストロークの色及び線幅を色・幅表示欄６９３に表示させる。具体的には、集約装置２は、カラーパレット用紙７を用いて受講者によって色・線幅が選択された場合には、その色・線幅を色・幅表示欄６９３に表示させ、受講者によって色・線幅が選択されていない場合には、デフォルトの色・線幅を色・幅表示欄６９３に表示させる。これにより、受講者が電子ペン１でカラーパレット用紙７をタップすることで色・線幅を選択した場合に、色・線幅が変更されたことを集約装置２上で容易に判別することができる。よって、本実施形態によれば、色・線幅を色・幅表示欄６９３に表示させない場合と比較して、受講者は効率的に作業を行うことが可能となる。
【００８９】
また、集約装置２は、選択ユーザ表示において、操作者によって選択された受講者のストロークを拡大表示した拡大画像２００を表示させると共に、操作者によって選択されなかった他の受講者のストロークを縮小表示したサムネイル２０１を一覧表示させる。これにより、特定の受講者のストロークを見易く表示させつつ、他の受講者のストロークを比較可能な態様で表示させることができる。
【００９０】
更に、集約装置２は、選択ユーザ表示において、操作者のマウス操作などによりサムネイル２０１のいずれか１つが選択された場合、既に拡大表示されている拡大画像２００をサムネイル２０１として一覧表示させると共に、操作者によって選択されたサムネイル２０１を拡大画像２００として表示させる。これにより、操作者の選択に応じて、サムネイル２０１と拡大画像２００とを適宜入れ替えて表示させることができる。
【００９１】
［変形例］
次に、上記した実施形態の変形例について説明する。なお、以下で示す変形例は適宜組み合わせて実施することができる。
【００９２】
（変形例１）
上記した実施形態では、電子ペン１によって送信された記入情報は、集約装置２において、予め設定されたペンＩＤに直接関連付けて記憶手段２５によって記憶されるものであった。変形例１は、このような記入情報の記憶に関して、図１７に示すような名簿用紙８を用いるものである。
【００９３】
具体的には、変形例１では、図１７に示すような、解答用紙５とは異なるドットパターンを印刷した名簿用紙８を用意し、各ユーザエリア８０１〜８０６にユーザＩＤを関連付けて集約装置２で記憶しておく。そして、解答用紙５への記入に際して、電子ペン１でユーザエリア８０１〜８０６のいずれかを予めタップすることにより、集約装置２側に、その電子ペン１のペンＩＤと、ユーザエリアに対応付けられたユーザＩＤとを関連付けて記憶し、その電子ペン１による以後の記入情報を、そのユーザＩＤに関連付けて記憶するようにしてもよい。この構成とすることにより、同じ電子ペン１を複数の受講者が用いる場合であっても、名簿用紙８にタップするユーザエリアを変えることで、その電子ペン１に関連付けるユーザＩＤを変更することができるため、受講者が変わる都度、使用する電子ペン１を対応するユーザエリアにタップするとよい。
【００９４】
（変形例２）
変形例２は、解答の考え方に応じて操作者が色分類ボタン７１〜７６によって分類した複数のカテゴリーごとに、ユーザストローク情報表示領域５０にストロークを表示させる点で、上記した実施形態と異なる。つまり、変形例２は、色分類ボタン７１〜７６の操作によって付されたユーザ色（分類）情報が同じ受講者のストロークのみを、ユーザストローク情報表示領域５０に表示させるものである。具体的には、変形例２では、集約装置２の集約処理手段２４は、ユーザ色（分類）情報を操作者に選択させるためのボタンを表示させ、当該ボタンで選択されたユーザ色（分類）情報が設定された受講者のストロークを表示させる。
【００９５】
図１８は、変形例２に係る描画アプリケーションウィンドウの一例を示す。なお、ここで特に説明しない機能や処理などについては、前述した実施形態（特に図１３参照）と同様であるものとする。
【００９６】
図１８に示すように、変形例２では、集約処理手段２４は、ユーザ色（分類）情報ごとにストロークを表示させるために操作者に所望のユーザ色（分類）情報を選択させるための選択表示ボタン８５Ａ〜８５Ｆ（８５）を、ユーザコントロールリスト６８内の色分類ボタン７１〜７６の上に表示させる。選択表示ボタン８５Ａ〜８５Ｆは、各々の下に位置する色分類ボタン７１〜７６に対応するユーザ色（分類）情報が設定された受講者のストロークを表示させるためのラジオボタンである。操作者によって選択表示ボタン８５Ａ〜８５Ｆのいずれかが選択された場合、集約処理手段２４は、操作者によって選択された選択表示ボタン８５に対応するユーザ色（分類）情報が設定された受講者のストロークを、ユーザストローク情報表示領域５０に表示させる。
【００９７】
図１８に示す例では、操作者は、色分類ボタン７３（ユーザ色（分類）情報を黄色に設定するためのボタン）に対応する選択表示ボタン８５Ｃを選択したものとする。この場合、集約処理手段２４は、ユーザ色（分類）情報が黄色に設定された受講者「太郎」、「次郎」、「五郎」が電子ペン１で記入したストロークを、ユーザストローク情報表示領域５０に表示させる。具体的には、集約処理手段２４は、前述した選択ユーザ表示と同様に（図１３参照）、特定の受講者（図１８に示す例では「太郎」）のストロークを拡大表示した拡大画像２０３Ａを表示させると共に、他の受講者（図１８に示す例では「次郎」、「五郎」）のストロークを縮小表示したサムネイル２０３Ｂ、２０３Ｅを一覧表示させる。
【００９８】
以上説明した変形例２によれば、操作者は、選択表示ボタン８５を用いて選択することで、所望のユーザ色（分類）情報が設定された受講者のストロークのみを表示させることができる。
【００９９】
なお、上記のように操作者によって選択されたユーザ色（分類）情報が設定された受講者のストロークを表示させる場合に、図１９に示すように、操作者によって選択されたユーザ色（分類）情報が設定された受講者のみを、ユーザ一覧としてユーザ選択リスト６９Ａに表示させても良い。
【０１００】
（変形例３）
図１３などを用いて説明した選択ユーザ表示では、１人の受講者のストロークのみを拡大表示させていたが、変形例３では、選択ユーザ表示において、複数の受講者のストロークを拡大表示させる。具体的には、変形例３では、集約装置２の集約処理手段２４は、操作者のマウス操作等により複数のサムネイルが選択された場合に、その複数のサムネイルを並べて拡大表示させる。
【０１０１】
図２０は、変形例３に係る描画アプリケーションウィンドウの一例を示す。なお、ここで特に説明しない機能や処理などについては、前述した実施形態（特に図１３参照）と同様であるものとする。
【０１０２】
変形例３では、集約処理手段２４は、操作者によって選択ユーザ表示ボタン５３が選択された場合において、操作者のマウス操作によって複数のサムネイルがドラッグされて上部エリアに移動された場合に、その複数のサムネイルを拡大表示させた拡大画像を並べて表示させる。図２０に示す例では、操作者がマウスによって２つのサムネイル（図２０は、２つのサムネイルを拡大表示させた後の表示画像を示しており、当該２つのサムネイルについては図示していない）をドラッグして上部エリアに移動させ、集約処理手段２４は、その２つのサムネイルを拡大表示させた拡大画像２０４Ｃ、２０４Ｄを左右に並べて表示させている。
【０１０３】
また、集約処理手段２４は、操作者によって選択された複数の受講者（つまりストロークを拡大表示している複数の受講者）に対応するユーザ選択リスト６９の箇所を強調表示させる。図２０に示す例では、集約処理手段２４は、受講者「三郎」「四朗」のそれぞれに対応するユーザ選択リスト６９の番号を、赤色などの枠９９Ａ、９９Ｂで囲って表示させている。
【０１０４】
なお、集約処理手段２４は、操作者のマウス操作によって拡大画像がドラッグされて下部エリアに移動された場合に、その拡大画像を縮小してサムネイル化しても良い。また、集約処理手段２４は、操作者のマウス操作によって複数のサムネイルがクリックされた場合又はダブルクリックされた場合に、その複数のサムネイルを拡大表示させた拡大画像を並べて表示させても良い。更に、集約処理手段２４は、操作者のマウス操作によって拡大画像がクリックされた場合又はダブルクリックされた場合に、その拡大画像を縮小してサムネイル化しても良い。加えて、集約処理手段２４は、各サムネイルごとに拡大表示させるための拡大ボタンを表示させ、拡大ボタンが押下されたサムネイルを拡大表示させても良い。
【０１０５】
以上説明した変形例４によれば、操作者の操作に基づき、選択ユーザ表示の表示態様を柔軟に変更することができる。
【０１０６】
（変形例４）
図１３などを用いて説明した選択ユーザ表示では、ストロークを縮小表示したサムネイル２０１を横方向に並べて一覧表示させていたが、変形例４では、選択ユーザ表示において、サムネイルを縦方向に並べて一覧表示させる。
【０１０７】
図２１は、変形例４に係る描画アプリケーションウィンドウの一例を示す。なお、ここで特に説明しない機能や処理などについては、前述した実施形態（特に図１３参照）と同様であるものとする。
【０１０８】
図２１に示すように、変形例４では、集約装置２の集約処理手段２４は、操作者によって選択ユーザ表示ボタン５３が選択された場合に、ユーザストローク情報表示領域５０に、操作者によって選択された受講者のストロークを拡大表示した拡大画像２０５Ａを表示させると共に、操作者によって選択されなかった他の受講者のストロークを縮小表示したサムネイル２０５Ｂ〜２０５Ｄを縦方向に並べて一覧表示させる。具体的には、集約処理手段２４は、ユーザストローク情報表示領域５０の左側のエリアに拡大画像２０５Ａを表示させ、ユーザストローク情報表示領域５０の右側のエリアにサムネイル２０５Ｂ〜２０５Ｄを同時に並べて一覧表示させる。なお、図２１に示す例では、一覧表示させるサムネイルがユーザストローク情報表示領域５０に収まらないため、集約処理手段２４は、縦スクロールバー５２を有効とし、操作者のマウス操作によってユーザストローク情報表示領域５０をスクロールして、サムネイルを複数回に分けて表示できるようにしている。
【０１０９】
以上説明した変形例４によれば、サムネイルを縦方向に並べて一覧表示させることで、ユーザ選択リスト６９Ａに表示されたユーザ一覧と平行にサムネイルを表示させることができると共に、ユーザ一覧に表示された受講者の順と同じ順でサムネイルを表示させることができる。これにより、受講者とサムネイルとの対応関係が判別しやすくなる。
【０１１０】
（変形例５）
変形例５は、上記した比較一覧表示（図１４参照）の他の例に関する。変形例５では、比較一覧表示において、全ての受講者のストロークを一覧表示させずに、ユーザストローク情報表示領域５０を分割したエリアに、そのエリアの数だけストロークを表示させる。具体的には、変形例５では、集約装置２の集約処理手段２４は、ユーザストローク情報表示領域５０を分割する態様（２分割や４分割など）を操作者に選択させ、操作者によって選択された態様でユーザストローク情報表示領域５０を分割し、分割した各エリアごとにストロークを表示させる。
【０１１１】
図２２は、変形例５に係る描画アプリケーションウィンドウの一例を示す。なお、ここで特に説明しない機能や処理などについては、前述した実施形態（特に図１３、図１４参照）と同様であるものとする。
【０１１２】
図２２に示すように、変形例５では、集約処理手段２４は、操作者によって比較一覧表示ボタン５４が選択された場合に、ユーザストローク情報表示領域５０を分割する態様を設定するための分割設定ボタン８８Ａ〜８８Ｄ（８８）をユーザコントロールリスト６８に表示させる。分割設定ボタン８８Ａは、ユーザストローク情報表示領域５０を分割しない設定を行うためのボタンであり、分割設定ボタン８８Ｂは、ユーザストローク情報表示領域５０を横（つまり左右方向）に２分割する設定を行うためのボタンであり、分割設定ボタン８８Ｃは、ユーザストローク情報表示領域５０を縦（つまり上下方向）に２分割する設定を行うためのボタンであり、分割設定ボタン８８Ｄは、ユーザストローク情報表示領域５０を縦及び横（つまり上下方向及び左右方向）に４分割する設定を行うためのボタンである。
【０１１３】
図２２に示す例では、操作者が、分割設定ボタン８８Ｂを選択したものとする。この場合、集約処理手段２４は、ユーザストローク情報表示領域５０を左右方向に２分割し、分割した各エリアごとにストロークを表示させる。具体的には、集約処理手段２４は、ストロークを同じ縮尺にて表示させたサムネイル２０６Ｃ、２０６Ｄを、ユーザストローク情報表示領域５０の左側のエリア及び右側のエリアにそれぞれ表示させる。また、集約処理手段２４は、当該左側のエリア及び当該右側のエリアのそれぞれに、表示させるストロークを順に切り替えるための送りボタン２０６Ｘ、２０６Ｙを表示させる。集約処理手段２４は、操作者によって送りボタン２０６Ｘが選択された場合には、ユーザストローク情報表示領域５０の左側の領域に表示させるストロークを順に切り替えていき、操作者によって送りボタン２０６Ｙが選択された場合には、ユーザストローク情報表示領域５０の右側の領域に表示させるストロークを順に切り替えていく。例えば、集約処理手段２４は、名簿番号順に、表示させるストロークを切り替えていく。
【０１１４】
以上説明した変形例５によれば、操作者の操作に基づき、比較一覧表示の表示態様を柔軟に変更することができる。
【０１１５】
（変形例６）
上記した実施形態では、ユーザ選択リスト６９に表示させるユーザ一覧を名簿番号順（具体的には図９に示すＩＤ順）にソートし、名簿番号順に従って選択ユーザ表示及び比較一覧表示を行う例を示したが、これに限定されない。他の例では、名簿番号順の代わりに、解答時間の早い順に、ユーザ選択リスト６９に表示させるユーザ一覧をソートし、解答時間の早い順に従って選択ユーザ表示及び比較一覧表示を行うことができる。この例では、集約装置２の集約処理手段２４は、各受講者が使用する電子ペン１から受信した最終記入情報に含まれる時刻情報に基づいて、解答時間の早い順を求める。更に他の例では、名簿番号順や解答時間の早い順の代わりに、ストローク数の多い順に、ユーザ選択リスト６９に表示させるユーザ一覧をソートし、ストローク数の多い順に従って選択ユーザ表示及び比較一覧表示を行うことができる。この例では、集約処理手段２４は、各受講者が使用する電子ペン１でストローク数をカウントすることで、ストローク数の多い順を求める。
【０１１６】
（変形例７）
上記した実施形態では、１人の受講者が１枚の解答用紙５に電子ペン１により解答を記入した場合を例示したが、１人の受講者が複数枚の解答用紙５に電子ペン１により解答を記入した場合にも、当該実施形態（上述した変形例を含む）と同様の選択ユーザ表示及び比較一覧表示を行うことができる。この場合には、複数枚の解答用紙５に記入されたストロークを、複数のページに渡って並べて表示すれば良い。１つの例では、集約装置２の集約処理手段２４は、複数のページが重なり合うようにページを表示する。他の例では、集約処理手段２４は、複数のページが重ならないように左右又は上下に並べてページを表示する。
【０１１７】
（変形例８）
上記では、本発明における「表示態様」の一例として、ストロークの色及び線幅を示した。他の例では、色及び線幅の両方を用いる代わりに、色及び線幅のいずれか一方のみを「表示態様」として用いることができる。更に他の例では、色及び／又は線幅の代わりに、若しくは色及び／又は線幅に加えて、ストロークの線種（例えば実線、破線、一点鎖線など）を「表示態様」として用いることができる。
【０１１８】
（変形例９）
上記した実施形態では、電子ペン、ドットパターン（コード化パターン）、記入情報に、アノト方式を用いていたが、アノト方式を用いることに限定はされない。
【符号の説明】
【０１１９】
１（１Ａ〜１Ｅ）…電子ペン
２…集約装置
３…転送装置
４…プロジェクタ
５（５Ａ〜５Ｅ）…解答用紙
６…スクリーン
７…カラーパレット用紙
１０…電子ペンシステム
２０…範囲指定手段
２１…入力手段
２２…集約個別受信手段
２３…集約転送受信手段
２４…集約処理手段
２５…記憶手段
２６…表示手段
２７…送信手段
【図１】
2013025683.tif 000003
【図２】
2013025683.tif 000004
【図３】
2013025683.tif 000005
【図４】
2013025683.tif 000006
【図５】
2013025683.tif 000007
【図６】
2013025683.tif 000008
【図７】
2013025683.tif 000009
【図８】
2013025683.tif 000010
【図９】
2013025683.tif 000011
【図１０】
2013025683.tif 000012
【図１１】
2013025683.tif 000013
【図１２】
2013025683.tif 000014
【図１３】
2013025683.tif 000015
【図１４】
2013025683.tif 000016
【図１５】
2013025683.tif 000017
【図１６】
2013025683.tif 000018
【図１７】
2013025683.tif 000019
【図１８】
2013025683.tif 000020
【図１９】
2013025683.tif 000021
【図２０】
2013025683.tif 000022
【図２１】
2013025683.tif 000023
【図２２】
2013025683.tif 000024